(57)【要約】【目的】  利用者のニーズにより的確に適合し得ると共に、より広告効果の高い形で広告情報を提供し得る自動取引装置及びシステムを提供する【構成】  操作者の操作に応じて金銭取引をなす自動取引装置であり、取引関連金額の大きさに各々が対応する複数片の広告データ片を保持する。該自動取引装置は、該金銭取引を実行し、該金銭取引の実行結果として得られる取引関連金額から該複数片の広告データ片の１つを抽出して、該金銭取引の内容を印字すると共に該抽出された広告データ片を印字する。本発明による自動取引システムは、広告データを保持して、これを複数の自動取引装置に配信するサーバ装置を含む。【選択図】図１
2005258857.tif 000002
【特許請求の範囲】
【請求項１】
操作者の操作に応じて金銭取引をなす自動取引装置であって、
取引関連金額の大きさに各々が対応する複数片の広告データ片を保持する広告データ保持手段と、
前記金銭取引を実行する金銭取引実行手段と、
前記金銭取引の実行結果として得られる取引関連金額から前記複数片の広告データのうちの１つを抽出する広告データ抽出手段と、
前記金銭取引の内容を印字すると共に該広告データ片を印字する印字出力手段と、
を含むことを特徴とする自動取引装置。
【請求項２】
前記広告データ保持手段は、前記複数片の広告データ片を前記取引関連金額の大きさに従った複数の広告データ片群に群分けてして保持し、前記広告データ抽出手段は、前記金銭取引の実行結果として得られる取引関連金額に従って前記複数の広告データ片群の１つを決定して、該決定された広告データ片群の中から１つの広告データ片を抽出することを特徴とする請求項１記載の自動取引装置。
【請求項３】
前記広告データ抽出手段は、該決定された広告データ片群の中から１つの広告データ片を無作為に抽出することを特徴とする請求項２記載の自動取引装置。
【請求項４】
該抽出された広告データ片を表示スクリーンに表示する表示手段を更に含むことを特徴とする請求項１記載の自動取引装置。
【請求項５】
前記取引関連金額は、残高金額であることを特徴とする請求項１乃至４の何れか１記載の自動取引装置。
【請求項６】
操作者の操作に応じて金銭取引をなす少なくとも１つの自動取引装置と、前記自動取引装置に接続されるサーバ装置とを含む自動取引システムであって、
前記サーバ装置は、取引関連金額の大きさに各々が対応する複数片の広告データ片を保持する広告データ保持手段と、前記複数片の広告データ片を前記自動取引装置の各々に送信する広告データ送信手段を含み、
前記自動取引装置の各々は、前記金銭取引を実行する金銭取引実行手段と、前記金銭取引の実行結果として得られる取引関連金額から前記複数片の広告データのうちの１つを抽出する広告データ抽出手段と、前記金銭取引の内容を印字すると共に該広告データ片を印字する印字出力手段と、を含むことを特徴とする自動取引システム。
【請求項７】
前記サーバ装置の広告データ保持手段は、前記複数片の広告データ片を前記取引関連金額の大きさに従った複数の広告データ片群に群分けてして保持し、前記自動取引装置の各々の広告データ抽出手段は、前記金銭取引の実行結果として得られる取引関連金額に従って前記複数の広告データ片群の１つを決定して、該決定された広告データ片群の中から１つの広告データ片を抽出することを特徴とする請求項６記載の自動取引システム。
【請求項８】
前記広告データ抽出手段は、該決定された広告データ片群の中から１つの広告データ片を無作為に抽出することを特徴とする請求項７記載の自動取引システム。
【請求項９】
該抽出された広告データ片を表示スクリーンに表示する表示手段を更に含むことを特徴とする請求項６記載の自動取引システム。
【請求項１０】
前記取引関連金額は、残高金額であることを特徴とする請求項6乃至９の何れか１記載の自動取引システム。
【発明の詳細な説明】
【技術分野】
【０００１】
本発明は、現金の入出金等の金銭取引のための自動取引装置及びシステムに関する。
【背景技術】
【０００２】
自動取引装置は、金銭取引に応じて金銭取引情報をその表示装置または印刷装置に出力する。この際に、かかる金銭取引情報に併せて広告情報を出力することが考えられる。例えば、特許文献１は、自動取引装置を利用する利用者の残高情報を取り込み、該残高情報から妥当な金融商品の広告情報を自動取引装置の表示部に表示する構成が開示されている。また、特許文献２は、利用者の性別または生年月日に応じて内容を変えた金融商品の広告をディスプレイ表示および伝票印刷する構成が開示されている。
【特許文献１】特許第２９９３００５号公報
【特許文献２】特開平１１−２８３０８０号公報
【発明の開示】
【発明が解決しようとする課題】
【０００３】
しかし、特許文献１に開示される方法では、広告情報が一過性の画像情報として表示されるに過ぎないことから、利用者がかかる広告情報を積極的に記憶しようとしない限りその広告効果を十分に高めることはできなかった。また、特許文献２に開示される方法では、確かに伝票への広告印刷より広告効果を高めることは可能となったものの、利用者の性別等の違いにより広告内容が変えられるとしも、かかる違いによる広告の内容変更が利用者のニーズに十分に適合しているとは言えないものである。
【０００４】
本発明の目的は、利用者のニーズにより的確に適合し得ると共に、より広告効果の高い形で広告情報を提供し得る自動取引装置及びシステムを提供することである。
【課題を解決するための手段】
【０００５】
本発明による自動取引装置は、操作者の操作に応じて金銭取引をなす自動取引装置であり、取引関連金額の大きさに各々が対応する複数片の広告データ片を保持する広告データ保持手段と、該金銭取引を実行する金銭取引実行手段と、該金銭取引の実行結果として得られる取引関連金額から該複数片の広告データ片の１つを抽出する広告データ抽出手段と、該金銭取引の内容を印字すると共に該抽出された広告データ片を印字する印字出力手段とを含むことを特徴とする。
【０００６】
本発明に自動取引システムは、操作者の操作に応じて金銭取引をなす少なくとも１つの自動取引装置と、該自動取引装置に接続されるサーバ装置とを含む自動取引システムであり、該サーバ装置は、取引関連金額の大きさに各々が対応する複数片の広告データ片を保持する広告データ保持手段と、該複数片の広告データ片を該自動取引装置の各々に送信する広告データ送信手段を含み、該自動取引装置の各々は、該金銭取引を実行する金銭取引実行手段と、該金銭取引の実行結果として得られる取引関連金額から該複数片の広告データ片の１つを抽出する広告データ抽出手段と、該金銭取引の内容を印字すると共に該抽出された広告データ片を印字する印字出力手段とを含むことを特徴とする。
【発明の効果】
【０００７】
本発明による自動取引装置及びシステムによれば、利用者のニーズにより的確に適合し得ると共に、より広告効果の高い形で広告情報を提供し得る。
【実施例】
【０００８】
本発明の実施例について添付の図面を参照して詳細に説明する。
＜第１の実施例＞
図１は、本発明の第１の実施例を示し、本発明による自動取引装置の構成を示している。自動取引装置１０（以下、ＡＴＭ装置１０と称する）は、ＡＴＭ機能を実現する様々な入出力装置が備えた１つのコンピュータ装置により実現される。ＡＴＭ装置１０は、中央処理装置であるＣＰＵ１１と、記憶装置であるメモリ１２と、営業店又はセンターサーバ（図示せず）とのデータ通信を実現するＬＡＮ制御部１３と、ディスプレイに取引情報を表示するビデオ出力部１４と、利用者からの取引指令を受け付けるタッチパネル制御部１５と、ＡＴＭ機能を実現する各種処理部を全体制御するＡＴＭ制御部１６と、金銭取引情報と共に広告データ群２２が格納されるデータベース２１とを含み、これらがバスにより共通に接続される。
【０００９】
ＡＴＭ制御部１６の配下に各主処理部が接続される。すなわち、ＡＴＭ制御部１６には、利用者の取引カードを受け付けを口座番号等のデータを取り込むカード処理部１７と、利用者が挿入する預金通帳等の帳票からデータを取り込み、更には取引結果を記帳する通帳処理部１８と、金銭取引の明細を記した取引明細票６０を印字出力する印字出力部１９と、現金取引がある場合に紙幣または硬貨等の金銭を実際に入出金する金銭入出金部２０とが接続される。
【００１０】
図２は、図１におけるＡＴＭ装置１０のデータベース２１に保持される広告データ群２２の例を示している。広告データ群２２は、残高金額に応じて、複数のデータセットＤ１〜Ｄ７に分割されて保持される。図２の例では、残高金額が「0円以下」のデータセットＤ１と、「1円以上99円以下」のデータセットＤ２と、「100円以上4,999円以下」のデータセットＤ３と、「5,000円以上9,999円以下」のデータセットＤ４「10,000円以上2,999,999円以下」のデータセットＤ５と、「3,000,000円以上9,999,999円以下」のデータセットＤ６と、「10,000,000円以上」のデータセットＤ７とから構成される。
【００１１】
データセットＤ１乃至Ｇ７の各々には、複数の広告データが格納される。例えば、データセットＤ１には、利用者の残高金額が０円以下でありその資産状況からして当座貸越サービスの広告が適当であるとして口座貸越広告データを含み、さらに〇×銀行広告データ及びＡＴＭ手数料案内広告データが含まれている。また、データセットＤ５には、利用者の残高金額が３００万円未満の相当の資産があることからして資産運用の広告が適当であるとして積立定期預金広告データ、スーパ定期広告データ、公共料金口座振替広告データ、〇×銀行広告データ、貯蓄預金広告データ及びＡＴＭ手数料案内広告データが格納される。以上の格納構造により、利用者の残高金額すなわち資産状況に応じて的確と判断される広告データが広告データ群２２から抽出され得る。尚、広告データの各々は、情報を担うデータの１つの塊であり正確には広告データ片である。
【００１２】
図３は、図１に示されるＡＴＭ装置において広告データ印字を実行する処理手順を示している。本処理手順について図１に示される構成要素を適宜参照して説明する。
【００１３】
利用者の操作に応じて、ＡＴＭ装置１０は、預金払い戻しと等の取引処理を実行する（ステップＳ１）。この処理の間、ＡＴＭ装置１０と営業店又はセンターサーバとの間で、利用者の口座番号の照会、暗証番号の照合、口座残高の確認および払い戻し金額の引き落とし等の勘定処理のためのデータが交信される。
【００１４】
該取引処理の完了に際して、ＡＴＭ装置１０は、該取引の結果をまとめた金銭取引情報と共に、取引関連金額として利用者口座の残高情報を営業店又はセンターサーバから受信する（ステップＳ２）。次いで、この残高金額に基づいて、広告データ群２２の中から対応する広告データセットＤ１乃至Ｇ７の何れかを決定する（ステップＳ３）。
【００１５】
ステップＳ５において、例えば、残高金額が１０，０００円として、データセットＤ５が選択されたとして以下説明する。ここで、ＡＴＭ装置１０は、当該データセットすなわちデータセットＤ５中から１つの広告データを抽出する（ステップＳ４）。例えば、「スーパ定期広告データ」が抽出されたとする。尚、この１つの広告データの抽出は、例えば、乱数に基づいて無作為抽出することにより実行される。次いで、ＡＴＭ装置１０は、該金銭取引情報を利用明細票６０の明細欄に、そして広告データ「スーパ定期広告データ」をその広告欄に埋め込むことで利用明細票６０を編集する（ステップＳ５）。ついて、利用明細票６０を印字出力する（ステップＳ６）。
【００１６】
図４は、ＡＴＭ装置により印字出力される利用明細書票の印字例を示している。
この印字例としては、（ａ）残高金額が−10,000円である場合と、（ｂ）残高金額が60円の場合と、（ｃ）残高金額が400,000,000円の場合との３つの場合が示されている。（ａ）の場合には、利用明細票６の明細欄６１に残高金額を含む金銭取引情報が印字されると共に、広告欄６２に口座貸越広告データが印字されている。預金残高が不足していることから的確な広告として口座貸越サービスが選択されていることがわかる。（ｂ）の場合には、利用明細票６の明細欄６１に残高金額を含む金銭取引情報が印字されると共に、広告欄６２に〇×銀行広告データが印字されている。更に（ｃ）の場合には、利用明細票６の明細欄６１に残高金額を含む金銭取引情報が印字されると共に、広告欄６２にスーバ定期広告データが印字されている。普通預金残高が高額であることから的確な広告として定期預金の広告がなされていることがわかる。尚、広告データは、利用明細票６０に印字出力すると共にディスプレイ等の表示スクリーンに表示するようにしても良い。
＜第２の実施例＞
図５は、本発明の第２の実施例を示し、本発明による自動取引装置を含む自動取引システム全体の構成を示している。複数のＡＴＭ装置１０、１０’、１０’’がＬＡＮ３０を介して営業店サーバ４０に接続されている。ＬＡＮ３０は、営業店施設に展開されるローカルエリアネットワークである。営業店サーバ４０は、営業店に展開される複数のＡＴＭ装置１０、１０’、１０’’を収容するサーバ装置である。営業店サーバ４０は、金銭取引情報と共に広告データ４２を含むデータベース４１を保持している。
【００１７】
ＡＴＭ装置１０、１０’、１０’’の各々は、第１の実施例と同様の構成を有すると共に、営業店サーバ４０とＬＡＮ３０を介してデータ通信をなすデータ通信機能を有する。ＡＴＭ装置１０、１０’、１０’’の各々は、その電源投入に応じて、営業店サーバ４０から広告データ群４２をダウンロードし、次いで、この広告データ群４１を自身の広告データ群２２としてデータベース２１に格納保持する。これにより、営業店サーバ４０は、複数のＡＴＭ装置１０、１０’、１０’’に共通して広告データ４２を配信することができる。一方、ＡＴＭ装置１０、１０’、１０’’の各々は、適宜更新された広告データ群２１から最新の広告データを印字出力することができる。尚、本実施例において、自動取引システムは，３つのＡＴＭ装置を含むものとして示されたが、それ以上の多数のＡＴＭ装置を含み得る。
【００１８】
以上の複数の実施例から明らかなように、本発明による自動取引装置及びシステムによれば、残高金額の応じて変更される広告データを利用明細票に印字出力して利用者に提供する構成が与えられる。これは、ディスプレイにおける一過性の広告とは異なり、広告が利用明細票に印字されることで利用者の告知がより効果的になされる。また、利用者口座の残高金額すなわち利用者の各々の資産状況に応じた的確な広告が選択され表示されることで利用者のニーズにより適合することができる。また、印字される１つの広告データは、残高金額に応じたグループすなわちデータセットに分けられた多数の広告データの中で、１つの広告データが無作為に選択される構成もなし得る。これにより利用者が、自動取引装置を利用するたびに異なる広告データを見ることが可能となり、広告効果をより高めることができる。
【００１９】
なお、ここでは広告データを利用明細票に印字する形態が示されたが、広告データを印字する媒体は印字可能な媒体であれば良く、例えば、通帳記帳の取引において通帳繰越が発生した場合に、その残高金額に応じて通帳の最終ページ余白に広告データを印字する形態も可能である。
【産業上の利用可能性】
【００２０】
以上の実施例においては、主に銀行における自動取引装置を想定して説明されたが、本発明による自動取引装置は、これに限定されず、経済的取引を実行して取引関連金額を出力することが求められるカード会社あるいは金融会社の自動取引装置に適用し得る。また、広告データが対応する取引関連金額を残高金額とする形態が示されたが、口座の残高金額に限られず、カードの利用金額等の取引関連金額とする形態も可能である。
【図面の簡単な説明】
【００２１】
【図１】本発明の第１の実施例を示し、本発明による自動取引装置の構成を示しているブロック図である。
【図２】図１におけるＡＴＭ装置のデータベースに保持される広告データ群の例を示しているデータ図である。
【図３】図１に示されるＡＴＭ装置において広告データ印字を実行する処理手順を示しているフローチャートである。
【図４】ＡＴＭ装置により印字出力される利用明細書票の印字例を示している帳票図である。
【図５】本発明の第２の実施例を示し、本発明による自動取引装置を含むシステム全体の構成を示しているブロック図である。
【符号の説明】
【００２２】
１０  自動取引装置（ＡＴＭ装置）
１１  ＣＰＵ
１２  メモリ
１３  ＬＡＮ制御部
１４  ビデオ出力部
１５  タッチパネル制御部
１６  ＡＴＭ制御部
１７  カード処理部
１８  通帳処理部
１９  印字出力部
２０  金銭入出金部
２１  データベース
２２  広告データ群
３０  ＬＡＮ
４０  営業店サーバ
４１  データベース
４２  広告データ群
６０  利用明細票
Ｄ１乃至Ｄ７  広告データセット
【図１】
2005258857.tif 000003
【図２】
2005258857.tif 000004
【図３】
2005258857.tif 000005
【図４】
2005258857.tif 000006
【図５】
2005258857.tif 000007